(57)【特許請求の範囲】
【請求項１】
格納位置と開放位置とに回動可能な用紙トレイと、該用紙トレイ上に載置した用紙を給紙するピックアップコロを備える給紙手段とを有する給紙装置において、
一端が前記用紙トレイの幅方向の片側２箇所にそれぞれ回動可能に接続されるとともに他端が給紙装置本体部の異なる位置に設けられた２つの本体部回転軸にそれぞれ回動可能に装着される２本のアーム部材を備えるリンク機構と、
前記用紙トレイを格納位置の方向に付勢して回動させるために、前記２つの本体部回転軸の１つに嵌装されたねじりコイルバネを有する付勢手段と、を備え、
前記付勢手段が嵌装された前記本体部回転軸は、前記ピックアップコロの軸方向への延長線上の少なくとも一方の端部側であって、前記用紙トレイからの用紙搬送路に干渉しない位置に設けられていることを特徴とする給紙装置。
【請求項２】
前記２本のアーム部材は互いに異なる長さを有することを特徴とする請求項１に記載の給紙装置。
【請求項３】
前記給紙装置本体部は１つのユニットケースからなり、前記ピックアップコロ、前記本体部回転軸及び前記付勢手段は、該ユニットケース内に収納配置されることを特徴とする、請求項１又は２に記載の給紙装置。
【請求項４】
前記用紙トレイが前記格納位置に移動したときに、前記用紙トレイの外面が給紙装置外面又は給紙装置が装着される本体装置の外面と略同一面に格納されることを特徴とする、請求項１〜３のいずれか一項に記載の給紙装置。
【請求項５】
前記リンク機構は前記用紙トレイの幅方向の両側に備えられることを特徴とする、請求項１〜４のいずれか一項に記載の給紙装置。
【請求項６】
給紙装置が手差し給紙装置であることを特徴とする、請求項１〜５のいずれか１項に記載の給紙装置。
【請求項７】
請求項１〜６のいずれか１項に記載の給紙装置を備えることを特徴とする画像形成装置。
【発明の詳細な説明】
【技術分野】
【０００１】
本発明は、複写機、プリンタ、ファクシミリ等の画像形成装置における用紙トレイに関するものである。
【背景技術】
【０００２】
【特許文献１】特公平５−４７１４７号公報
【特許文献２】実開平２−４９９４２号公報
【特許文献３】特開平１０−１５２２３３号公報
【０００３】
近年、複写機、プリンタ、ファクシミリ等の画像形成装置においては、装置本体の手前側に給紙カセットあるいはトレイを引き出して用紙補給を行なうように構成した、いわゆるフロントローディング・タイプの装置が主流となっている。また、特殊紙へのプリントやコピー、あるいは割り込みコピーなどのために、装置本体の側面に手差し可能な給紙装置を備えるものも広く用いられている。
【０００４】
一般に、手差し給紙装置は、装置本体側面の用紙挿入口を開閉可能なトレイ（手差しトレイ）を有している。その手差しトレイは使用時には開放され（画像形成装置本体の側面に対してある角度をもって開かれ）、使用しないときはユーザーによって装置本体側面に沿って閉めることができ、手差しトレイは装置本体の外装面となる。
【０００５】
従来、このような手差し給紙装置としては種々のものが知られており、例えば、上記各特許文献等に記載されている。
特許文献１に記載された給紙装置は、給紙トレイが給紙位置と非給紙位置との間で支軸の回りを自由に回動する。このため、給紙トレイを非給紙位置から給紙位置へ回動させるとき、給紙トレイが非給紙位置へ勢い良く回動することを防止するため、給紙トレイを手で支えながら回動させている。給紙トレイを手で支えずに自由に給紙位置へ回動させると、給紙トレイが自重により勢い良く回動して支軸や支軸取付部に大きな衝撃が加わり、甚だしい場合には支軸や支軸取付部が破損してしまう。
【０００６】
これに対し、特許文献２及び３に記載された給紙装置では、給紙トレイを回動自在に支持する支軸のまわりに、給紙トレイを非給紙位置へ回動する向きに付勢するトーションスプリングが取付けられている。このようなトーションスプリングを取付けることにより、給紙トレイを非給紙位置から給紙位置へ回動させるとき、給紙トレイを手で支えていなくても給紙台は緩やかに回動し、支軸や支軸取付部の破損を防止することができる。
【発明の開示】
【発明が解決しようとする課題】
【０００７】
しかしながら、従来の手差し給紙装置においては、図１０に示すように、手差しトレイ１７４を閉めたときに、手差しトレイ１７４が装置本体２００の側面から外側に張り出してしまい、機械幅方向に装置全体が大型化するという問題があった。
【０００８】
また、手差しトレイ１７４の回動支軸１７５は、本体側面の手差し挿入口（用紙挿入口）のすぐ内側に位置しているため、トレイを緩やかに回動させるための上述したトーションスプリングに代表されるダンパー部材を配置しようとすると、給紙ユニット１７０の外側（回動支軸１７５の軸方向の外側）、すなわち、画像形成装置の前面側あるいは後面側に突出するようにダンパー部材を配置することとなり、機械前後方向に装置全体が大型化するという問題があった。
【０００９】
なお、ダンパー部材を給紙ユニット１７０の内部に配置すると、用紙積載位置や用紙搬送路とダンパー部材が干渉していまい、給紙できなくなってしまうことになる。
【００１０】
本発明は、従来の給紙装置における上述の問題を解決し、簡単な構成で省スペース化が実現でき、かつ、トレイ開閉時における破損を防止することのできる給紙装置及び画像形成装置を提供することを課題とする。
【課題を解決するための手段】
【００１１】
前記の課題は、本発明により、格納位置と開放位置とに回動可能な用紙トレイと、該用紙トレイ上に載置した用紙を給紙するピックアップコロを備える給紙手段とを有する給紙装置において、一端が前記用紙トレイの幅方向の片側２箇所にそれぞれ回動可能に接続されるとともに他端が給紙装置本体部の異なる位置に設けられた２つの本体部回転軸にそれぞれ回動可能に装着される２本のアーム部材を備えるリンク機構と、前記用紙トレイを格納位置の方向に付勢して回動させるために、前記２つの本体部回転軸の１つに嵌装されたねじりコイルバネを有する付勢手段と、を備え、前記付勢手段が嵌装された前記本体部回転軸は、前記ピックアップコロの軸方向への延長線上の少なくとも一方の端部側であって、前記用紙トレイからの用紙搬送路に干渉しない位置に設けられていることにより解決される。
【００１２】
また、前記２本のアーム部材は互いに異なる長さを有すると好ましい。
また、前記給紙装置本体部は１つのユニットケースからなり、前記ピックアップコロ、前記本体部回転軸及び前記付勢手段は、該ユニットケース内に収納配置されると好ましい。
また、前記用紙トレイが前記格納位置に移動したときに、前記用紙トレイの外面が給紙装置外面又は給紙装置が装着される本体装置の外面と略同一面に格納されると好ましい。
【００１３】
また、前記リンク機構は前記用紙トレイの幅方向の両側に備えられると好ましい。
また、給紙装置が手差し給紙装置であると好ましい。
【００１４】
また、前記の課題は、本発明により、請求項１〜６のいずれか１項に記載の給紙装置を備える画像形成装置により解決される。
【発明の効果】
【００１７】
本発明の給紙装置及び画像形成装置によれば、一端が前記用紙トレイの幅方向の片側２箇所にそれぞれ回動可能に接続されるとともに他端が給紙装置本体部の異なる位置に設けられた２つの本体部回転軸にそれぞれ回動可能に装着される２本のアーム部材を備えるリンク機構を備えるので、トレイの適切な給紙位置（開放位置）への移動が可能になる。また、前記用紙トレイを格納位置の方向に付勢して回動させるために、前記２つの本体部回転軸の１つに嵌装されたねじりコイルバネを有する付勢手段が備えられるので、トレイ開放時におけるトレイへの衝撃を抑え、トレイやトレイ支持部の損傷及び給紙装置の故障を防止することができ、ねじりコイルバネという安価な部材を用いて簡単な構成でトレイに対する緩衝作用を実現できる。さらに、前記付勢手段が嵌装された前記本体部回転軸は、前記ピックアップコロの軸方向への延長線上の少なくとも一方の端部側であって、前記用紙トレイからの用紙搬送路に干渉しない位置に設けられているので、簡単な構成で小型の給紙装置を実現できる。
【００１８】
請求項３の構成により、前記給紙装置本体部は１つのユニットケースからなり、前記ピックアップコロ、前記本体部回転軸及び前記付勢手段は、該ユニットケース内に収納配置されるので、装置前後方向のサイズを大型化することがない。
【００１９】
請求項４の構成により、前記用紙トレイが前記格納位置に移動したときに、前記用紙トレイの外面が給紙装置外面又は給紙装置が装着される本体装置の外面と略同一面に格納されるので、トレイ格納時にトレイが外側に張り出すことがなく、装置サイズを抑制できる。したがって、給紙装置を備える本体装置のサイズが大型化することもない。
【００２０】
請求項５の構成により、トレイの適切な給紙位置（開放位置）への移動と、格納時におけるトレイ外面を装置外面と同一面にすることとが、簡単な構成で実現できる。
【００２１】
請求項６の構成により、当該給紙装置が手差し給紙装置であるので、手差し給紙装置を設けた場合でも本体装置の大型化を抑制できる。
【発明を実施するための最良の形態】
【００２４】
以下、本発明の実施の形態を図面に基づいて説明する。
図１は、本発明に係る給紙装置を備えた画像形成装置の一例であるフルカラープリンタの概略を示す断面構成図である。この図に示すフルカラープリンタ１００は、装置本体のほぼ中央部に、複数のローラに巻き掛けられた中間転写ベルト１１を配設しており、その中間転写ベルト１１の下側走行辺に沿って４個の作像ユニット１０（Ｍ，Ｃ，Ｙ，Ｂｋ）を配設している。
【００２５】
各作像ユニット１０は像担持体としての感光体ドラム１を具備している。この感光体ドラム１の周りには、帯電手段、現像装置、クリーニング手段等が配置され、さらに各感光体ドラム１に対向する位置において中間転写ベルト１１の内側に一次転写手段としての転写ローラ１２が設けられている。本例の場合、４個の作像ユニット１０は同一構造に構成されているが、各作像ユニットの現像装置で扱う現像剤の色がマゼンタ、シアン、イエロー、ブラックの４色に異なっている。本例の場合、４個の作像ユニット１０は、図において左からマゼンタ、シアン、イエロー、ブラックの色順に配置されている。各作像ユニット１０はプロセスカートリッジとして装置本体に着脱可能に設けられている。
【００２６】
そして、作像ユニット１０の下方には光書き込み装置１４が設けられている。光書き込み装置１４は図示はしないがポリゴンミラーやミラー群等を有しており、光変調されたレーザ光を各色作像ユニットの感光体ドラム１の表面に照射する。光書き込み装置は、各作像ユニット１０に個別に設けてもよいが、共通の光書き込み装置を用いればコストの点で有利である。なお、本例では、中間転写ベルト１１及び光書き込み装置１４もユニット化されており、それぞれ装置本体に着脱可能に構成されている。
【００２７】
装置下部には２段の給紙カセット１５ａ，ｂがセットされており、各給紙カセットに対応する給紙手段１６ａ，ｂが設けられている。給紙手段１６ａ，ｂはそれぞれ、呼び出しローラ、供給ローラ及び分離ローラから構成されている。その給紙手段１６ａ，ｂによって給送される転写紙等の記録媒体（以下、用紙という）を搬送するために、搬送ローラ対１７，１７が設けられている。上側の搬送ローラ対１７の上方（用紙搬送方向の下流側）にはレジストローラ対１８が設けられている。そのレジストローラ対１８の上方には、二次転写手段としての転写ローラ１９が、中間転写ベルト１１が掛け渡されるローラの一つである転写対向ローラ１３に対向して設けられ、二次転写部を形成している。
【００２８】
二次転写部の上側には定着装置２０が設けられており、その定着装置２０の上方には、用紙搬送方向を切り替えるための第１〜第３の切替爪２１，２２，２３が配置されている。各切替爪２１〜２３は、図２に実線と仮想線で示す位置とに、図示しないソレノイド等のアクチュエータにより切り替えられる。符号２４〜２７は、用紙搬送路中に適宜配置された搬送ローラ対である。また、符号３５〜４１は、用紙搬送路中に適宜配置された用紙センサである。なお、用紙搬送路は、ガイド板等の部材（符号付さず）により適宜ガイドされている。
【００２９】
装置本体５０の上面は排紙トレイ３０として構成されており、その排紙トレイ３０に用紙を排出するための排紙ローラ対２９が、定着装置２０の左上方に位置して設けられている。
【００３０】
両面ユニット６０内には、スイッチバック搬送路６１及び再給紙路６２が形成されている。スイッチバック搬送路６１の入口部（装置上側）には第１反転ローラ対３１が設けられ、スイッチバック搬送路６１の中途には第２反転ローラ対３２が設けられている。第１及び第２反転ローラ対３１，３２は、正逆回転可能に構成されている。そして、再給紙路６２をほぼ三等分する位置に、搬送ローラ対２６，２７が配置されている。前述の第３切替爪２３は、第１反転ローラ対３１のすぐ隣で、スイッチバック搬送路６１から再給紙路６２への進入部に位置して配置されている。
【００３１】
両面ユニット６０の側面には手差しトレイ７４が引き出し及び収納可能に設けられている。図１では、手差しトレイ７４を引き出した状態を示してある。この手差しトレイ７４から用紙を給紙するために、ピックアップコロ、フィードコロ及び分離コロ（リバースコロ）を有する給紙ユニット（手差し給紙装置）７０が設けられている。その給紙ユニット７０の側方、装置内側に位置して再給紙ローラ２８が配設されている。再給紙ローラ２８の上下両側には従動ローラがそれぞれ圧接されている。この再給紙ローラ２８は正逆回転可能に構成されており、再給紙路６２から用紙を再給紙する場合は図中反時計回りに回転駆動され、手差しトレイ７４から用紙を給紙する場合は図中時計回りに回転駆動される。
【００３２】
本例のフルカラープリンタ１００における画像形成動作については後述するとして、手差し給紙装置７０について先に説明する。
図３は、手差し給紙装置７０の斜視図である。また、図４は、手差し給紙装置７０の構成を概略的に示す平面図である。
【００３３】
これらの図に示すように、手差し給紙装置７０の手差しトレイ７４は、画像形成装置の前後に配置されたそれぞれ２本ずつのアーム８１，８２によってユニットケース８０に連結支持されている。画像形成装置の前後は、トレイ幅方向の左右（給紙方向に向かって）であるから、前側（左側）のアームを８１Ｌ，８２Ｌとし、後側（右側）のアームを８１Ｒ，８２Ｒとする。その他の部材も、符号の後に「Ｌ」あるいは「Ｒ」を付けて前側（左側）と後側（右側）を示している。前後（左右）の両方の部材を指す場合はＬ，Ｒを付けずに符号だけを用い、区別する場合には符号の後にＬ，Ｒを付けて用いることとする。
【００３４】
第１アーム８１は、一方側端部を軸７５によりユニットケース８０に枢着し、他方側端部をピン７７により手差しトレイ７４に枢着している。第２アーム８２は、一方側端部を軸７６によりユニットケース８０に枢着し、他方側端部をピン７８により手差しトレイ７４に枢着している。各アームは各軸及びピンに対して抜け止めされている。
【００３５】
第１及び第２アーム８１，８２が枢着されるユニットケース側の４つの軸（７５Ｌ，７５Ｒ，７６Ｌ，７６Ｒ）のうち、軸７５Ｌ以外の３つの軸はユニットケース８０の側板に突設された固定軸であり、軸７５Ｌだけが後述するようにユニットケース８０に回動可能に支持された可動軸である。装置後ろ側の固定軸付近を図５に示す。また、第１及び第２アーム８１，８２が枢着される手差しトレイ７４側の４つのピン（７７Ｌ，７７Ｒ，７８Ｌ，７８Ｒ）は全てトレイを構成する部材に設けられた固定ピンである。なお、各固定軸及び固定ピンを回動軸あるいは回動ピンとすることも可能である。
【００３６】
前側（左側）の第１アーム８１Ｌは可動軸７５Ｌにネジで締結され、一体となって回転する。つまり、第１アーム８１Ｌは可動軸７５Ｌにより、ユニットケース８０に対して回転可能に支持される。第１アーム８１Ｌの他端は固定ピン７７Ｌに遊嵌され、手差しトレイ７４に対して回転可能に取り付けられている。他の３本のアーム、すなわち後側（右側）の第１アーム８１Ｒ及び両側の第２アーム８２Ｌ，Ｒは、両端部がそれぞれ固定軸及び固定ピンに挿入（遊嵌）され、ユニットケース８０及び手差しトレイ７４に対して回転可能に取り付けられている。
【００３７】
このように、手差しトレイ７４は、第１及び第２アーム８１，８２によりトレイ幅方向の両側を第１及び第２アーム８１，８２によりユニットケース８０に対して回転可能に支持されている。したがって、手差しトレイ７４は、長さの異なる２本のリンク部材によりトレイ両側をそれぞれユニットケース８０に回転可能に支持されていることになる。これにより、手差しトレイ７４の開閉時には、第１及び第２アーム８１，８２がユニットケース側の軸７５，７６を支点に回動すると同時に、手差しトレイ７４が固定ピン７７，７８を支点として回動する。
【００３８】
なお、手差しトレイ７４には、トレイ上に積載した用紙の幅方向を規制する１対のサイドフェンス７９Ｌ，Ｒが備えられている。また、ユニットケース８０の上部にはカバー８６が備えられる。ユニットケース８０内部には、ピックアップコロ７１、フィードコロ７２及び分離コロ（リバースコロ）７３が配置される。分離コロ７３は図３，４では示されていないが、フィードコロ７２の下方でフィードコロ７２に圧接して配設されている（図９参照）。
【００３９】
図６は、装置手前側のユニットケース８０内部を示す部分斜視図である。また、図７は、第１アーム８１Ｌと可動軸７５Ｌを示す分解斜視図である。
図７に示すように、可動軸７５Ｌは金属製であり、軸を貫通してスプリングピン８４が圧入されている。可動軸７５Ｌの端部は平板状になっており、該端部にネジ穴７５ｂが切られている。第１アーム８１Ｌの基端部には可動軸７５Ｌの平板部が挿入される穴８１ａが設けられ、その穴８１ａに可動軸７５Ｌ端部を挿入し、アームに設けた穴８１ｂを通して、ネジ８７を可動軸７５Ｌのネジ穴７５ｂに締結し、第１アーム８１Ｌと可動軸７５Ｌが固定される。
【００４０】
図６に戻り、可動軸７５Ｌは、ユニットケース８０の側板部８０ａと内部のリブ８０ｂとに挿入され、回転可能に支持される。その可動軸７５Ｌにはねじりコイルバネ８３が挿入されている。ねじりコイルバネ８３の一端は可動軸７５Ｌのスプリングピン８４に係止され、他端はユニットケース８０に固定されたブラケット８５に係止されている。
【００４１】
図８に示すように、手差しトレイ７４が開かれることにより、第１アーム８１Ｌを介して可動軸７５Ｌが図中時計回り方向に回転し、スプリングピン８４によりねじりコイルバネ８３が捩られ、ねじり荷重（トルク）が発生する。ねじりコイルバネ８３の復元力は図中反時計回りに作用するため、手差しトレイ７４開放時にコイルバネ８３の復元力がダンパーとして作用し、トレイ開放時にユーザがトレイから手を離した場合でも、手差しトレイ７４が緩やかに回動し（開き）、手差しトレイ７４の回動支軸やその取り付け部の破損を防止することができる。なお、ねじりコイルバネ８３としては、その復元力が手差しトレイ７４を自動的に閉めてしまわない程度のものが用いられる。
【００４２】
図９は、手差しトレイ７４開閉時の動きを説明するための模式図であり、（ａ）はトレイ閉鎖時を、（ｂ）はトレイ開放時を示す。
この図に示すように、手差しトレイ７４を支持する２本のリンク部材である第１及び第２アーム８１，８２は、それぞれ軸７５，７６を中心として回動する。手差しトレイ７４の第１及び第２アーム８１，８２との連結点の移動軌跡は、軸７７及び軸７８の移動軌跡であり、（ａ）図にそれぞれ仮想線で示すように移動し、（ｂ）図のようにトレイが開放される。
【００４３】
本例では、第１及び第２アーム８１，８２のユニットケース８０に対する支持部すなわち軸７５，７６は、ピックアップコロ７１を軸方向に延長した（投影した）位置に配置されている。この軸７５，７６が配置されている位置は、用紙挿入口８８からの用紙搬送路と干渉しない位置であるので、本実施例のように、手差しトレイ７４を緩やかに回動させるためのダンパー機構を構成する可動軸７５Ｌやねじりコイルバネ８３をユニットケース８０の内部に配設することが可能となり、画像形成装置の前面側あるいは後面側にダンパー機構が突出せず、機械前後方向に装置サイズを大型化させることがない。
【００４４】
図４から判るように、ピックアップコロ７１及びフィードコロ７２の同軸上の両側端部付近は従来は空きスペース（デッドスペース）となっていたが、本例では、その従来のデッドスペースに手差しトレイ７４のダンパー機構を配置することにより、ダンパー機構がユニットケース８０外部へ突出することがなく、画像形成装置の外形サイズ（図４における左右方向の幅）を小型化することができる。もちろん、図９から判るように、ダンパー機構及び手差しトレイ７４を支持する２本のアーム８１，８２の軸７５，７６が用紙挿入口８８からの用紙搬送路と干渉することはなく、用紙搬送の障害となることは無い。
【００４５】
さらに、本例では、図９（ａ）に示すように、手差しトレイ７４を閉めたときに、手差しトレイ７４が装置本体（本実施例では両面ユニット６０）の側面（外装面）から外側に張り出していない。すなわち、手差しトレイ７４を閉めたときに、手差しトレイ７４の底面が装置本体（両面ユニット６０）の側面に一致している。したがって、画像形成装置の幅方向のサイズを大型化させることもない。
【００４６】
手差しトレイ７４を開けると、図９（ｂ）に示すように、手差しトレイ７４の端部（装置本体側端部）が用紙挿入口８８の下端部とほぼ一致する位置となり、トレイ上面が用紙挿入口８８に連なって手差し給紙が可能となる。なお、本例の手差しトレイ７４は上記のように１対のサイドフェンス７９Ｌ，Ｒを備えており、そのサイドフェンス７９Ｌ，Ｒの幅を調節するラックピニオン機構をトレイ内に内蔵している。
【００４７】
なお、本例では、第１及び第２アーム８１，８２を手差しトレイ７４あるいはユニットケース８０に取り付けるための軸７５，７６及びピン７７，７８を、手差しトレイ７４及びユニットケース８０側に設けたが、それらの軸及びピンを第１及び第２アーム８１，８２側に設ける（例えば、アームと一体にアームに立設する）ことも可能である。その場合、手差しトレイ７４及びユニットケース８０側に軸及びピンを受ける穴を設けてやれば良い。また、軸及びピンを、手差しトレイ７４及びユニットケース８０とは全く別の部材（別部品）として構成することも可能である。
【００４８】
最後に、本例のフルカラープリンタ１００における画像形成動作について簡単に説明する。
図１において、作像ユニット１０の感光体ドラム１が図示しない駆動手段によって図中時計方向に回転駆動され、その感光体ドラム１の表面が帯電手段によって所定の極性に一様に帯電される。帯電された感光体表面には、光書き込み装置１４からのレーザ光が照射され、これによって感光体ドラム１表面に静電潜像が形成される。このとき、各感光体ドラム１に露光される画像情報は所望のフルカラー画像をマゼンタ、シアン、イエロー及び黒の色情報に分解した単色の画像情報である。このように形成された静電潜像に現像装置から各色トナーが付与され、トナー像として可視化される。
【００４９】
また、中間転写ベルト１１が矢印で示すように図中反時計回りに走行駆動され、各作像ユニット１０において一次転写ローラ１２の作用により感光体ドラム１から中間転写ベルト１２に各色トナー像が順次重ね転写される。このようにして中間転写ベルト１１はその表面にフルカラーのトナー像を担持する。
【００５０】
なお、作像ユニット１０のいずれか１つを使用して単色画像を形成したり、２色又は３色の画像を形成したりすることもできる。モノクロプリントの場合は、４個の作像ユニットのうち、図の一番右側のＢｋユニットを用いて画像形成を行う。
【００５１】
そして、トナー像を転写した後の感光体ドラム表面に付着する残留トナーは、クリーニング装置によって感光体ドラム表面から除去され、次いでその表面が除電器の作用を受けて表面電位が初期化されて次の画像形成に備える。
【００５２】
一方、給紙カセット１５ａ，ｂあるいは手差しトレイ７４から用紙が選択的に給送され、レジストローラ対１８によって、中間転写ベルト１１上に担持されたトナー像とのタイミングを取って二次転写位置に向けて送出される。本例では転写ローラ１９には中間転写ベルト表面のトナー像のトナー帯電極性と逆極性の転写電圧が印加され、これによって中間転写ベルト表面のトナー像が用紙上に一括して転写される。トナー像を転写された用紙は、定着装置２０を通過するとき、熱と圧力によってトナー像が用紙に熔融定着される。定着された転写材は、排紙ローラ２９により装置本体１の上面に構成された排紙部３０に排出される。片面プリント時の用紙搬送経路（ただし、給紙カセット１５ａ，ｂから給紙した場合）を、図２に実線［１］で示す。
【００５３】
なお、上記第２切替爪２２の上方の装置上面にオプションの排紙トレイ（例えばソート機能を有する４ビントレイ）を装着可能であり、その図示しないオプショントレイに定着後の用紙を排出することも可能である。オプショントレイに用紙を排出する場合の用紙搬送経路（ただし、定着装置通過後）を、図２に破線［２］で示す。
【００５４】
用紙両面にプリントを行う場合は、用紙片面にトナー像を定着した用紙を、第１〜第３切替爪２１〜２３を適切に切り替えることにより、スイッチバック搬送路６１内に進入させる。この場合の第１及び第２切替爪２１，２２は、図２の仮想線の位置に切り替えられる。また、第３切替爪２３は、図２の実線の位置に切り替えられる。また、第１及び第２反転ローラ対３１，３２は正方向（図１で時計回り）に回転される。用紙をスイッチバック搬送路６１内に進入させるときの搬送経路（ただし、搬送ローラ対２５以降）を、図２に２点鎖線［３］で示す。
【００５５】
スイッチバック搬送路６１内に進入した用紙後端をセンサ４０で検知したら、第１及び第２反転ローラ対３１，３２を逆方向（図１で反時計回り）に回転させ、用紙を反転させる。このとき、第３切替爪２３を図２の仮想線の位置に切り替えることで、反転させた用紙を再給紙路６２へと送り込む。
【００５６】
再給紙路６２は、その下端部で手差しトレイ７４からの用紙搬送路と合流され、さらに、再給紙ローラ２８の奥側で給紙カセット１５ａ，ｂからの用紙搬送路と合流される。再給紙路６２内を用紙は搬送ローラ対２６，２７により搬送され、さらに再給紙ローラ２８によりレジストローラ対１８へと送られる。再給紙路６２を通る用紙搬送経路（ただし、第３切替爪２３から実線［１］と合流する部分まで）を、図２に１点鎖線［４］で示す。また、手差しトレイ７４から用紙を給紙する場合の用紙搬送経路（ただし、再給紙ローラ２８を抜けた位置まで）を、図２に点線［５］で示す。
【００５７】
スイッチバック搬送路６１で反転させた用紙を再給紙路６２を通過させることで用紙の表裏が逆にされ、その用紙裏面に中間転写ベルト１１からトナー像が転写され、その裏面画像を定着装置２０で定着することにより、表裏両面に画像を担持する用紙を、排紙トレイ３０又は図示しないオプショントレイに排出することで、両面プリントが完成する。
【００５８】
以上、本発明を図示例により説明したが、本発明はこれに限定されるものではない。
トレイ及びトレイを支持するアームの形状やサイズ、あるいはトレイとアームを連結する位置、アームを給紙ユニットに連結する位置（軸の位置）等は、本発明の範囲内で適宜設定することができる。
【００５９】
また、ダンパー機構の構成も任意である。ダンパー機構の付勢手段としてはねじりコイルバネに限らず、トーションバー（ねじり棒ばね）、板バネ等任意のものを使用可能である。また、上記例ではダンパー機構を一方側にのみ設けたが、トレイ幅方向の両側にダンパー機構を備えることもできる。
【００６０】
また、本発明による用紙トレイは、電子写真方式の画像形成装置に限らず、インクジェット方式等、任意の作像方式による画像形成装置の手差しトレイとして使用可能である。
【図面の簡単な説明】
【００６１】
【図１】本発明に係る給紙装置を備えた画像形成装置の一例であるフルカラープリンタの概略を示す断面構成図である。
【図２】そのフルカラープリンタの用紙搬送経路を示す図である。
【図３】手差し給紙装置の斜視図である。
【図４】手差し給紙装置の構成を概略的に示す平面図である。
【図５】手差し給紙装置の後側の一部を示す部分斜視図である。
【図６】手差し給紙装置手前側のユニットケース内部を示す部分斜視図である。
【図７】手差し給紙装置の第１アームと可動軸を示す分解斜視図である。
【図８】その側面図である。
【図９】手差しトレイ開閉時の動きを説明するための模式図であり、（ａ）はトレイ閉鎖時を、（ｂ）はトレイ開放時を示す。
【図１０】従来の手差し給紙装置の一例を示す断面構成図である。
【符号の説明】
【００６２】
５０            装置本体
６０            両面ユニット
７０            給紙ユニット（手差し給紙装置）
７１            ピックアップコロ
７２            フィードコロ
７３            リバースコロ
７４            手差しトレイ
７５，７６      軸
７５Ｌ          可動軸
７７，７８      ピン
７９            サイドフェンス
８０            ユニットケース
８１            第１アーム
８２            第２アーム
８３            ねじりコイルバネ
１００          フルカラープリンタ
【図１】
0004764676.tif 000002
【図２】
0004764676.tif 000003
【図３】
0004764676.tif 000004
【図４】
0004764676.tif 000005
【図５】
0004764676.tif 000006
【図６】
0004764676.tif 000007
【図７】
0004764676.tif 000008
【図８】
0004764676.tif 000009
【図９】
0004764676.tif 000010
【図１０】
0004764676.tif 000011